(57)【要約】【課題】充分に生ゴミ等の水を切ることができ、また、通気性を十分に確保し、さらに、スペースを充分に活用することができるシンクコーナー用収納具を提供すること。【解決手段】収納具本体１０１と保持具１０２とにより構成されるシンクコーナー用収納具１００であって、保持具１０１を形成する上面板１０８と底部１０９との間に生ゴミ等を入れる収納具本体１０１を着脱自在に保持し、上面板１０８に形成した突出部１１１Ａ、１１１Ｂによりシンク１３０の天板１３２に吊り下げることができるようにすることで、シンクの底１３３との間に間隔を設け、また、上面板１０８に物を載せることができるようにしたシンクコーナー用収納具１００を提供する。【選択図】　図１
0003096962.tif 000002
【実用新案登録請求の範囲】
【請求項１】
シンクを構成する壁面の内、垂直方向から交わる第一の壁面と第二の壁面とにより形成されるコーナーに、前記シンクの天板から吊り下げられるシンクコーナー用収納具であって、
底面と、少なくとも三つの側壁と、を有し、前記側壁の内第一の側壁と第二の側壁とは垂直方向から交わり、上方に開口部を形成した収納具本体と、
少なくとも三つの辺が形成され前記辺の内第一の辺と第二の辺とは垂直方向から交わるようにされている上面板と、底部と、前記上面板と前記底部とを連結する連結部と、を有し、前記上面板には、前記第一の辺の側に水平方向であって前記上面板とは反対方向に突出する第一の突出部と前記第二の辺の側に水平方向であって前記上面板とは反対方向に突出する第二の突出部とが設けられており、前記第一の辺が前記第一の壁面に対向し、前記第二の辺が前記第二の壁面に対向するように前記突出部を前記シンクの天板に引っ掛けることにより、前記シンクに吊り下げておくことができるようにした保持具と、を備え、
前記保持具は、前記第一の側壁が前記第一の辺側に位置し、前記第二の側壁が前記第二の辺側に位置するように、前記上面板と前記底部との間に前記収納具本体を着脱自在に保持することができるようにしたシンクコーナー用収納具。
【請求項２】
前記第一の突出部には、前記第一の辺と平行な方向に移動させることができる第一のアーム部材を形成し、前記第二の突出部には、前記第二の辺と平行な方向に移動させることができる第二のアーム部材を形成することで、前記第一のアーム部材及び前記第二のアーム部材を前記天板に引っ掛けることができるようにしたことを特徴とする請求項１に記載のシンクコーナー用収納具。
【請求項３】
前記連結部は、前記上面板の前記第一の辺と前記第二の辺とが交わる部分の側から前記上面板に対して鉛直下方に向かって形成されており、
前記底部は、前記連結部から前記第一の辺と前記第二の辺との交角の二等分線と平行する方向に突出するように形成されており、
前記収納具本体の底面の下面には、前記底部を挿入することができるブリッジ状のガイド部材を設けることにより、前記底部を前記ガイド部材と前記下面との間に挿入し、前記収納具本体を前記底部に沿って、移動させることができるようにされており、
前記収納具本体は、前記底部に沿って移動させることで、前記上面板に前記開口部が覆われた第一の位置と、前記上面板から前記開口部の全部又は一部が露出した第二の位置と、をとることができるようにされていることを特徴とする請求項１又は２に記載のシンクコーナー用収納具。
【請求項４】
前記ガイド部材には、前記底面の方向に向かって凸となるストッパーを設け、前記底部には、前記ストッパーに引っかかる係合部を設けておくことにより、前記係合部が前記ストッパーに引っかかることで、前記収納具本体が前記底部から脱落してしまうことを防止したことを特徴とする請求項３に記載のシンクコーナー用収納具。
【考案の詳細な説明】
【０００１】
【考案の属する技術分野】
本考案は、シンクのコーナーにおいて生ゴミ等を捨てるために使用されるシンクコーナー用収納具に関する。
【０００２】
【従来の技術】
従来のシンクコーナー用収納具としては、例えば、実公平１−５８５０８号公報に表された三角コーナー４００が使用されていた。
【０００３】
実公平１−５８５０８号公報に表された三角コーナー４４０は、図９に表されているように、三つの側壁４４１Ａ、４４１Ｂ、４４１Ｃと、底面４４２とにより構成されており、三つの側壁４４１Ａ、４４１Ｂ、４４１Ｃの内、二つの側壁４４１Ａ、４４１Ｂを垂直方向から交わるように形成することで、シンク４３０の垂直方向から交わる第一の壁面４３１Ａと第二の壁面４３１Ｂにより形成されるコーナーに隣接させて置くことができるようにされており、これらの側壁４４１Ａ、４４１Ｂ、４４１Ｃと底面４４２に水切り用の貫通孔４４３を設けておくことで、生ゴミ等の水気を切ることができるようにしている。
【０００４】
【考案が解決しようとする課題】
しかしながら、従来の三角コーナー４４０では、底面４４２とシンク４３０の底４３２との間の隙間が小さいため、三角コーナー４４０の中に入れられた生ゴミ等の水気を充分に切ることができず、また、底面４４２付近での通気性が悪いため、三角コーナー４４０の中に入れられた生ゴミ等がすぐに腐敗し、悪臭の原因ともなっていた。
【０００５】
また、従来の三角コーナー４４０では、この三角コーナー４４０の上に物を置いておくことができず、スペースを充分に活用しているとはいえなかった。
【０００６】
そこで、本考案は、充分に生ゴミ等の水を切ることができ、また、通気性を十分に確保し、さらに、スペースを充分に活用することができるシンクコーナー用収納具を提供することを目的とする。
【０００７】
【課題を解決するための手段】
以上の課題を解決するため、本考案は、シンクを構成する壁面の内、垂直方向から交わる第一の壁面と第二の壁面とにより形成されるコーナーに、前記シンクの天板から吊り下げられるシンクコーナー用収納具であって、底面と、少なくとも三つの側壁と、を有し、前記側壁の内第一の側壁と第二の側壁とは垂直方向から交わり、上方に開口部を形成した収納具本体と、少なくとも三つの辺が形成され前記辺の内第一の辺と第二の辺とは垂直方向から交わるようにされている上面板と、底部と、前記上面板と前記底部とを連結する連結部と、を有し、前記上面板には、前記第一の辺の側に水平方向であって前記上面板とは反対方向に突出する第一の突出部と前記第二の辺の側に水平方向であって前記上面板とは反対方向に突出する第二の突出部とが設けられており、前記第一の辺が前記第一の壁面に対向し、前記第二の辺が前記第二の壁面に対向するように前記突出部を前記シンクの天板に引っ掛けることにより、前記シンクに吊り下げておくことができるようにした保持具と、を備え、前記保持具は、前記第一の側壁が前記第一の辺側に位置し、前記第二の側壁が前記第二の辺側に位置するように、前記上面板と前記底部との間に前記収納具本体を着脱自在に保持することができるようにしたシンクコーナー用収納具を提供する。
【０００８】
収納具本体は、保持具に対して着脱自在にされているので、この収納具本体を使用する際には、保持具から取り外すことが可能であり、さらに、この収納具本体に溜まった生ゴミ等を捨てる際には、保持具から収納具本体を取り外すことができるため便利である。
【０００９】
ここで、シンクコーナー用収納具の高さを、シンクの壁面の高さよりも小さくなるように形成することで、シンクの天板からこのシンクコーナー用収納具を吊り下げた際に、シンクの底との間に空間を確保することができるため、生ゴミ等を入れる収納具本体の水を充分に切ることができ、また、通気性を確保することができるようになる。
【００１０】
また、収納具本体を保持する保持具については、収納具本体を保持した際に、板状部材からなる上面板が収納具本体の開口部を覆うことができるような大きさ・形状に形成することで、この上面板にスポンジや石鹸入りポンプ等を置くことができ、スペースを有効に活用することができる。
【００１１】
また、保持具については、上面板の第一の辺の側に第一の突出部を、上面板の第二の辺の側に第二の突出部をそれぞれ設けておくことにより、シンクの天板に吊り下げておくことができるようにしているが、例えば、この上面板の第一の辺と第二の辺とが交わる部分の側に第三の突出部を設けておくことで、より安定的に吊り下げておくことができるようになる。
【００１２】
この場合、第一の突出部には、第一の辺と平行な方向に移動させることができる第一のアーム部材を形成し、第二の突出部には、第二の辺と平行な方向に移動させることができる第二のアーム部材を形成し、これらの第一のアーム部材及び第二のアーム部材がシンクの天板に引っ掛かるようにすることで、シンクの天板に引っかかる部分が増え、より安定的にシンクの天板に引っ掛けておくことができるとともに、これらのアーム部材をシンクのコーナーから離れる方向に延ばすことで、シンクのコーナーから離れた点においてこのシンクコーナー用収納具を支持することができるため、シンクコーナー用収納具の内部に重い物を入れた場合でもこのシンクコーナー用収納具が回転しひっくり返ってしまうことがなくなる。
【００１３】
ここで、第一の突出部、第二の突出部、第三の突出部、第一のアーム部材、第二のアーム部材には、シンクの天板に吸着させることができる吸盤を取り付けておくことで、より安定的にシンクの天板に引っ掛けておくことができるようになる。
【００１４】
なお、第一のアーム部材と第二のアーム部材に吸盤を取り付ける場合には、これらの第一のアーム部材と第二のアーム部材の先端であって、上面板の第一の辺と第二の辺とが交わる部分とは反対側の先端側に取り付けることが望ましい。
【００１５】
また、上面板と底部とを連結する連結部を、上面板において垂直な方向から交わる第一の辺と第二の辺とが交わる部分の側から上面板に対して鉛直下方に向かって形成し、底部を、この連結部から第一の辺と第二の辺との交角の二等分線と平行する方向に突出するように形成し、さらに、収納具本体の底面の下面に、この底部を挿入することができるブリッジ状のガイド部材を設けることにより、この底部をガイド部材と下面との間に挿入し、収納具本体を底部に沿って、移動させることができるようになる。
【００１６】
そして、この収納具本体は、底部に沿って移動させることで、上面板に収納具本体の開口部が覆われた第一の位置と、上面板から収納具本体の開口部の全部又は一部が露出した第二の位置と、をとることができるようになり、このようにすることにより、収納具本体に生ゴミ等を入れる際には、上述の第二の位置になるようにすることで、この収納具本体を保持具から取り外すことなく、収納具本体に生ゴミ等を入れることができるようになる。
【００１７】
この場合には、収納具本体の側壁の内、垂直方向から交わる第一の側壁及び第二の側壁以外の任意の側壁に、この第一の側壁と第二の側壁とが交わる側とは反対側に突出する把手を設けておくことにより、この収納具本体を保持具の底部に沿って移動させる際にこの把手に手をかけることができ便利である。
【００１８】
また、ガイド部材には、収納具本体の底面の方向に向かって凸となるストッパーを設け、保持具の底部には、このストッパーに引っかかる係合部を設けておくことにより、この係合部がストッパーに引っかかることで、収納具本体を底部に沿って移動させる際に、収納具本体が底部から脱落してしまうことを防止することができる。
【００１９】
なお、収納具本体の底面又は側壁には、水切り用の貫通孔を複数形成しておくことが望ましく、また、保持具の上面板又は底部にも水切り用の貫通孔を複数形成しておくことが望ましい。
【００２０】
【考案の実施の形態】
図１は、本考案の第一の実施形態に係るシンクコーナー用収納具１００の分解斜視図である。
【００２１】
シンクコーナー用収納具１００は、収納具本体１０１及び保持具１０２により構成されている。
【００２２】
収納具本体１０１は、底面１０３と、第一の側壁１０４Ａ、第二の側壁１０４Ｂ及び第三の側壁１０４Ｃと、把手１０５と、により構成されており、これらの側壁１０４Ａ、１０４Ｂ、１０４Ｃの上方を開放することにより、上方に開口部１０６が形成されている。
【００２３】
第一の側壁１０４Ａ及び第二の側壁１０４Ｂについては、シンク１３０の第一の壁面１３１Ａ及び第二の壁面１３１Ｂによって形成されるコーナーの形状に対応させて、垂直方向から交わるように形成されている。
【００２４】
なお、第三の側壁１０４Ｃの形状については任意の形状に形成することができるが、本実施形態では、底面１０３と、第一の側壁１０４Ａ、第二の側壁１０４Ｂ及び第三の側壁１０４Ｃとにより形成される空間を広くとり、この空間内に多くの物を入れることができるようにするため、第一の側壁１０４Ａ及び第二の側壁１０４Ｂとが交わっている部分とは反対側に凸となるように円弧状に形成されている。
【００２５】
また、第三の側壁１０４Ｃには、収納具本体１０１を保持具１０２から着脱する際に便利となるように、第一の側壁１０４Ａ及び第二の側壁１０４Ｂとが交わっている部分とは反対側に突出している把手１０５が形成されている。
【００２６】
さらに、これらの側壁１０４Ａ、１０４Ｂ、１０４Ｃの上方を解放しておくことで、収納具本体１０１の上方には開口部１０６が形成されており、この開口部１０６から生ゴミ等をこの収納具本体１０１の内部に入れることができるようにしている。
【００２７】
なお、底面１０３及び第三の側壁１０４Ｃには、収納具本体１０１の内部に入れられた生ゴミ等の水を切るための貫通孔１０７が複数形成されている（なお、図１においては、第三の壁面１０４Ｃの裏に隠れているため、底面１０３の貫通孔１０７は表されていない）。
【００２８】
保持具１０２は、上面板１０８と、底部１０９と、連結部１１０と、第一の突出部１１１Ａと、第二の突出部１１１Ｂと、により構成されている。
【００２９】
上面板１０８は、板状部材からなり、ほぼ三角形に形成されているため、上面板１０８の端部に位置する第一の辺１１２Ａと、第二の辺１１２Ｂと、第三の辺１１２Ｃと、は三方向から交わり、これらの内第一の辺１１２Ａと第二の辺１１２Ｂとは、シンク１３０の第一の壁面１３１Ａ及び第二の壁面１３１Ｂによって形成されるコーナーの形状に対応させて、それぞれ垂直方向から交わるように形成されている。
【００３０】
なお、第三の辺１１２Ｃについては、収納具本体１０１を保持具１０２に取り付けた際に、収納具本体１０１の開口部１０６を覆うことができるように、第一の辺１１２Ａと第二の辺１１２Ｂとが交わる部分と反対側に凸となるように円弧状に形成されている。
【００３１】
また、これらの辺１１２Ａ、１１２Ｂ、１１２Ｃには、上面板１０８に物を載せた際に、この物が落下してしまうことを防止するため、上面板１０８の上方に凸となるように壁体１１３が設けられている。
【００３２】
本実施形態における底部１０９については、この底部１０９の上面１０９ａに収納具本体１０１を載せることができる大きさ・形状に形成されている。
【００３３】
また、本実施形態における連結部１１０は、上面板１０８の第一の辺１１２Ａ及び第二の辺１１２Ｂと、底部１０９と、を連結するような壁状体として形成されている。
【００３４】
ここで、連結部１１０についても上面板１０８と底部１０９との間に収納具本体１０１を納めることができるように、収納具本体１０１の高さＬよりも上面板１０８と底部１０９の間の間隔Ｍが大きくなるようにしている。
【００３５】
なお、上面板１０８及び底部１０９においても、水切り用の貫通孔１０７が形成されているため、上面板１０８の上に乗せられた物の水を切ることができるほか、保持具１０２に収納具本体１０１を取り付けた場合でも、収納具本体１０１の内部に入れられた生ゴミ等の水を切ることができるようにされている。
【００３６】
以上のように、上面板１０８、底部１０９及び連結部１１０を構成したので、これらによって囲まれた空間に収納具本体１０１を出し入れすることにより、保持具１０２は収納具本体１０１を着脱自在に保持することができるようになっている。
【００３７】
上面板１０８の第一の辺１１２Ａには、水平方向であって、上面板１０８とは反対方向に突出するように第一の突出部１１１Ａが設けられており、また、第二の辺１１２Ｂには、水平方向であって、上面板１０８とは反対方向に突出するように第二の突出部１１１Ｂが設けられている。
【００３８】
これらの突出部１１１Ａ、１１１Ｂの大きさ、形状及び個数については、保持具１０２で収納具本体１０１を保持した状態で、シンク１３０の天板１３２に引っ掛け、このシンクコーナー用収納具１００をシンク１３０のコーナーに吊り下げておくことができる範囲で適時選択することができる設計事項である。
【００３９】
以上のような突出部１１１Ａ、１１１Ｂを設けたので、保持具１０２は、図１に表されているように、シンク１３０のコーナーに吊り下げておくことができるようになる。
【００４０】
ここで、シンクコーナー用収納具１００の高さＮをシンク１３０の壁面１３１Ａ、１３１Ｂの高さＰよりも小さくしておくことで、シンクコーナー用収納具１００をシンク１３０のコーナーに吊り下げた際に、シンク１３０の底１３３とシンクコーナー用収納具１００との間に隙間が空き、シンクコーナー用収納具１００の収納具本体１０１の内部に入れられた生ゴミ等の水を切ることができるほか、この隙間を通じて換気を行うことができるようになる。
【００４１】
図２は、本考案の第二の実施形態に係るシンクコーナー用収納具２００の分解斜視図である。
【００４２】
シンクコーナー用収納具２００は、第一の実施形態同様、収納具本体２０１及び保持具２０２により構成されている。
【００４３】
収納具本体２０１は、底面２０３と、第一の側壁１０４Ａ、第二の側壁１０４Ｂ及び第三の側壁１０４Ｃと、把手１０５と、により構成されており、底面２０３を除いて第一の実施形態と同様の構成を有しているため、以下、本実施形態における底面２０３についてのみ説明する。
【００４４】
底面２０３の下面２０３ａには、図３に表されているように、ストッパー２１６を有するガイド部材２１５が取り付けられている。
【００４５】
ガイド部材２１５は、後述する底部２０９を挿入することができる幅Ｑ及び厚さＲの空間が、底面２０３の下面２０３ａとの間に空くようにブリッジ状に形成されており、第三の側壁１０４Ｃから、第一の側壁１０４Ａと第二の側壁１０４Ｂとが交わる部分の方に向かって開口するように底面２０３に取り付けられている。
【００４６】
また、ガイド部材２１５には、所定の弾性を有する弾性部材からなるストッパー２１６が底面２０３に向かって凸となるように設けられており、このストッパー２１６を下方（図３のＳ方向）に押圧することにより、底面２０３の下面２０３ａとの間の間隔Ｔを広げ、後述する底部２０９を挿入することができるようにしている。
【００４７】
保持具２０２は、上面板１０８と、底部２０９と、連結部２１０と、第一の突出部２１１Ａと、第二の突出部２１１Ｂと、第三の突出部２１１Ｃと、により構成されており、上面板１０８については第一の実施形態と同様に構成されているため説明を省略する。
【００４８】
本実施形態における連結部２１０は、上面板１０８の第一の辺１１２Ａ及び第二の辺１１２Ｂとが交わっている部分の側から、上面板１０８に対して鉛直下方に向かって形成されており、本実施形態における底部２０９については、図４に表されているように、この連結部２１０から第一の辺１１２Ａと第二の辺１１２Ｂとの交角αの二等分線と平行する方向（図４のＵ方向）に凸となるように形成されている（なお、図４においては、貫通孔１０７、第一の突出部２１１Ａ、第二の突出部２１１Ｂ及び第三の突出部２１１Ｃは省略している）。
【００４９】
ここで、本実施形態においては、連結部２１０及び底部２０９については、一つの線材を底部２０９の先端２０９ａで折り返すことにより平行に並べて形成している。
【００５０】
このように形成される底部２０９を、上述したガイド部材２１５と底面２０３の下面２０３ａとの間に挿入することにより、収納具本体２０１は保持具２０２に対して着脱自在に取り付けることができるほか、ガイド部材２１５に沿って、移動させることができるようになる。
【００５１】
即ち、図５に表されているように、収納具本体２０１を、収納具本体２０１の開口部１０６が保持具２０２の上面板１０８によって覆われた第一の位置におくことができる一方で、把手１０５を引っ張ることにより、図６に表されているように、収納具本体２０１を、収納具本体２０１の開口部１０６の一部が保持具２０２の上面板１０８から露出した第二の位置におくことができる。
【００５２】
なお、本実施形態では、収納具本体２０１が第二の位置にある場合に、開口部１０６の一部が露出するようにしているが、底部２０９の長さＶを調節することにより、開口部１０６の全部が露出するようにすることも可能である。
【００５３】
また、把手１０５を過度に引っ張った場合でも、図６に表されているように、折り返されている底部２０９の先端２０９ａがストッパー２１６に接触するため、このストッパー２１６を下方に押圧しない限り、収納具本体２０１が底部２０９から外れてしまうことはない。
【００５４】
即ち、底部２０９の先端２０９ａは、ストッパー２１６に引っかかる係合部として機能することとなる。
【００５５】
このように、本実施形態では、保持具２０２から収納具本体２０１を引っ張り出すことができるため、収納具本体２０１を使用するたびごとにいちいち保持具２０２から収納具本体２０１を取り外す必要がなく便利である。
【００５６】
さらに、本実施形態では、上面板１０８の第一の辺１１２Ａに第一の突出部２１１Ａを設け、第二の辺１１２Ｂに第二の突出部２１１Ｂを設けているほか、第一の辺１１２Ａ及び第二の辺１１２Ｂが交わる部分の側に第三の突出部２１１Ｃを設けたので、第一の実施形態に比べて、より安定的にシンク１３０の天板１３２に引っ掛けることができるようにされている。
【００５７】
図７は、本考案の第三の実施形態に係るシンクコーナー用収納具３００の分解斜視図である。
【００５８】
本実施形態に係るシンクコーナー用収納具３００は、第一の突出部３１１Ａに第一のアーム部材３１９Ａが取り付けられており、また、第二の突出部３１１Ｂに第二のアーム部材３１９Ｂが取り付けられており、また、第三の突出部３１１Ｃに吸盤３２０が取り付けられている以外は、第二の実施形態と同様の構成を有しているため、以下、相異点のみを説明する。
【００５９】
本実施形態においては、第一の突出部３１１Ａの上面に内部が中空にされた管状部材３２０Ａを二つ設け、この管状部材３２０Ａに一つの線材を折り返し部３２１Ａにて折り返すことにより形成した第一のアーム部材３１９Ａを挿入することにより、この第一のアーム部材３１９を第一の辺１１２Ａと平行となる方向、即ち、図７のＷ、Ｗ’方向に移動させることが可能にされている。
【００６０】
また、第二の突出部３１１Ａについても、同様の構成により、第二のアーム部材３１９Ｂが、第二の辺１１２Ｂと平行となる方向、即ち、図７のＸ、Ｘ’方向に移動させることができるにように取り付けられている。
【００６１】
そして、このようなアーム部材３１９Ａ、３１９Ｂの折り返し部３２１Ａ、３２１Ｂにはそれぞれフック３２２Ａ、３２２Ｂを形成しておくことで、このフック３２２Ａ、３２２Ｂを吸盤３２０に設けられているフック用貫通孔３２３に挿入することにより、吸盤３２０を取り付けることができるようにされている。
【００６２】
なお、この吸盤３２０については、上方からシンク１３０の天板に吸着させることから、吸着面３２４が下方に向くように取り付ける。
【００６３】
また、本実施形態では、第三の突出部３１１Ｃにも吸盤３２０を取り付けるためのフック３２２Ｃを形成しておくことで、吸盤３２０を取り付けることができるようにしている。
【００６４】
以上のように本実施形態を構成したので、図８に表されているように、吸盤３２０をシンク１３０の天板１３２に吸着させることでシンクコーナー用収納具３００をこの天板１３２に固定することができるほか、第一のアーム部材３１９Ａと、第二のアーム部材３１９Ｂをシンク１３０のコーナー１３３から離れる方向に延ばすことにより、このシンクコーナー用収納具３００を固定する点をシンク１３０のコーナー１３３からより遠くにおくことができるため、収納具本体３０１に多くの物を入れたり、重い物を入れたりしたときでも、このシンクコーナー用収納具３００にかかる力の力点が、これらのアーム部材３１９Ａ、３１９Ｂにより支えられる支点を結んだ線よりも、シンクコーナー用収納具３００側にあるようにすることができるため、このシンクコーナー用収納具３００がシンク１３０の内部に回転してひっくり返ってしまうことがなくなる。
【００６５】
【考案の効果】
以上のように本考案を構成したので、充分に生ゴミ等の水を切ることができ、また、通気性を十分に確保し、さらに、スペースを充分に活用することができるシンクコーナー用収納具を提供することができる。
【図面の簡単な説明】
【図１】第一の実施形態に係るシンクコーナー用収納具１００の分解斜視図。
【図２】第二の実施形態に係るシンクコーナー用収納具２００の分解斜視図。
【図３】収納具本体２０１の正面図。
【図４】保持具２０２の上面図。
【図５】シンクコーナー用収納具２００の縦断面図。
【図６】シンクコーナー用収納具２００の縦断面図。
【図７】第三の実施形態に係るシンクコーナー用収納具３００の分解斜視図。
【図８】シンクコーナー用収納具３００の上面図。
【図９】従来の三角コーナー４４０の上方斜視図。
【符号の説明】
１００、２００、３００　シンクコーナー用収納具
１０１、２０１、３０１　収納具本体
１０２、２０２、３０２　保持具
１０３、２０３　底面
１０４　側壁
１０５　把手
１０６　開口部
１０７　貫通孔
１０８　上面板
１０９、２０９　底部
１１０、２１０　連結部
１１１、２１１、３１１　突出部
１１２　辺
２１５　ガイド部材
２１６　ストッパー
３１９　アーム部材
３２０　吸盤
１３０　シンク
１３１　壁面
１３２　天板
【図１】
0003096962.tif 000003
【図２】
0003096962.tif 000004
【図３】
0003096962.tif 000005
【図４】
0003096962.tif 000006
【図５】
0003096962.tif 000007
【図６】
0003096962.tif 000008
【図７】
0003096962.tif 000009
【図８】
0003096962.tif 000010
【図９】
0003096962.tif 000011
【手続補正書】
【提出日】平成15年4月14日(2003.4.14)
【手続補正１】
【補正対象書類名】図面
【補正対象項目名】全図
【補正方法】変更
【補正の内容】
【図１】
0003096962.tif 000012
【図２】
0003096962.tif 000013
【図３】
0003096962.tif 000014
【図４】
0003096962.tif 000015
【図５】
0003096962.tif 000016
【図６】
0003096962.tif 000017
【図７】
0003096962.tif 000018
【図８】
0003096962.tif 000019
【図９】
0003096962.tif 000020